(57)【特許請求の範囲】
【請求項１】
複数の回動する蓋を有するカメラの蝶番装置において、
回動動作をする第１の蓋の蝶番軸受と、
回動動作をする第２の蓋の蝶番軸受と、
カメラ本体に固設された蝶番軸受と、
上記３つの蝶番軸受を貫通する軸部材と、
上記軸部材を上記３つの蝶番軸受に貫通させた後に、上記軸部材の端部を覆い、上記軸部材が抜けることを防ぐため、上記軸部材とは別体の上記カメラ本体に取り付け、取り外し可能に設けられる軸抜け防止部材と、
上記第１の蓋と上記軸抜け防止部材の間に設けられた係合手段及び上記第２の蓋と上記軸抜け防止部材との間に設けられた係合手段と、
を有し、上記第１の蓋と上記軸抜け防止部材の間の上記係合手段と上記第２の蓋と上記軸抜け防止部材の間の上記係合手段の少なくとも一方の係合手段が係合しているときには上記軸抜け防止部材が上記カメラより脱落することを防ぐことを特徴とするカメラの蝶番装置。
【発明の詳細な説明】
【０００１】
【発明の属する技術分野】
本発明はカメラの蝶番装置であって、詳しくはカメラの開閉蓋等の蝶番を貫通軸を用いて構成させた蝶番装置に関する。
【０００２】
【従来の技術】
従来、カメラは電池蓋やフィルムの交換のための開閉する後蓋を持ち、各々に蝶番を有している。
例えば組み立て簡便化のために従来より外観品である上カバーと下カバーとで蝶番の上下を押さえて、蝶番の軸が飛び出てしまうのを防いでいるものがある。
【０００３】
また、実開昭６２−９９０４１号公報には、カメラの背面に、電池蓋とフィルムの交換のための後蓋の蝶番を共通化し配置する構成が開示されている。
【０００４】
【発明が解決しようとする課題】
しかしながら、上記従来の技術つまり実開昭６２−９９０４１号公報には蝶番の軸の抜け止めのための工夫は示されておらず、このままでは蓋の開閉を行っているうちにその軸が蝶番より飛び出てしまう。そのため、一般的には、その対策のためにその軸部材に接着剤を塗り付けて組み立てたり、別部材を設け、軸が抜けないようこの別部材をネジでカメラ本体に止めてたりしている。
【０００５】
一方、上記従来の技術の前者は、その軸部材は確実に軸の軸方向移動をおさえられているものの、その軸に嵌まっている蓋部材を何等かの理由により交換作業を行おうとすると、上記上カバー若しくは上記下カバーをカメラ本体よりはずさなくてはならない。しかしながら上記上カバー若しくは上記下カバーはカメラ本体にネジ止めなどがなされていると考えられ、これをカメラ本体より外すのは意外に大変な作業となる。
【０００６】
本発明は上記のような問題点を解決しようとするものである。即ち、本発明はカメラに使用される蝶番装置において、確実にその蝶番軸を定位置に保ち、かつ、その蝶番装置の軸に取り付けられた蓋などを容易に交換できるようにしたカメラを提供することを目的とする。
【０００７】
【課題を解決するための手段】
本発明のカメラの蝶番装置は、複数の回動する蓋を有するカメラの蝶番装置において、回動動作をする第１の蓋の蝶番軸受と、回動動作をする第２の蓋の蝶番軸受と、カメラ本体に固設された蝶番軸受と、上記３つの蝶番軸受を貫通する軸部材と、上記軸部材を上記３つの蝶番軸受に貫通させた後に、上記軸部材の端部を覆い、上記軸部材が抜けることを防ぐため、上記軸部材とは別体の上記カメラ本体に取り付け、取り外し可能に設けられる軸抜け防止部材と、上記第１の蓋と上記軸抜け防止部材の間に設けられた係合手段及び上記第２の蓋と上記軸抜け防止部材との間に設けられた係合手段と、を有し、上記第１の蓋と上記軸抜け防止部材の間の上記係合手段と上記第２の蓋と上記軸抜け防止部材の間の上記係合手段の少なくとも一方の係合手段が係合しているときには上記軸抜け防止部材が上記カメラより脱落することを防ぐ。
【０００９】
【発明の実施の形態】
以下、本発明の実施の形態を図を用いて説明する。
図１は本発明の第１の実施の形態を示し、電池を装填するための電池蓋とフィルムを装填するための後蓋を備えたカメラをカメラ背面から見た斜視図であって、後蓋を閉じて電池蓋を開けた状態を示している。図２は図１のカメラの後蓋と電池蓋を閉じた状態、図３は本実施の形態のカメラの分解斜視図、図４は図２のカメラの後蓋を開けて、電池蓋を閉じた状態、図５は第１図のカメラの後蓋と電池蓋とを開けた状態、図６は図５におけるＢ部分の部分斜視図で、後述する軸抜け防止部材を除去してある状態を示している。図７は図１における蝶番部の断面図、図８は軸抜け防止部材単体の三面図を示す。
【００１０】
第１の実施の形態のカメラについて、図３の分解斜視図を基に説明をする。１はカメラ本体、１ａは本体に設けられた蝶番軸受で、軸部材４を挿入するための穴１ｃが設けられている。１ｂは本体に設けられた蝶番軸受で、軸部材４を挿入するための貫通穴１ｄを有する。
１ｅは電池収納室、１ｆはフィルムパトローネ室、１ｇはフィルム巻取室、１ｈは軸部材４が蝶番軸受１ｃ、１ｂ等に挿入された後にそれが脱落しないようにするための部材である軸抜け防止部材５を挿入する凹部である。
【００１１】
また１ｌ、１ｍ、１ｎは、フィルムに日付を写し込みを可能とする装置を有する後述する後蓋３などからの接点ピンを受けるための接点である。２は電池蓋で、軸受部２ａと２ｂを有していて、それぞれ軸部材４を挿入可能な貫通穴部２ｃ、２ｄが設けられている。そして、この電池蓋２の端面軸受部付近の端面２ｅには突起部２ｆが設けられている。
【００１２】
３はフィルムを交換するためのカメラの後蓋で、本実施例ではフィルムに日付などを写し込み可能な装置を有している。３ａはこの後蓋に設けられた軸受部で、軸部材４を挿入出来るよう貫通穴部３ｃを有している。そして、この後蓋３の端面軸受部付近の端面３ｅには突起部３ｆが設けられている。またカメラ本体からの日付写込み用の信号を受けるための接点ピン３ｌ，３ｍ，３ｎが設けられている。この接点ピン３ｌ，３ｍ，３ｎは、それぞれ上記接点１ｌ、１ｍ、１ｎに当接し、電気的導通を得るようになっている。
【００１３】
そして、電池蓋２の軸受部２ａ，２ｂを本体１の軸受部１ａ，１ｂの間に設置し、更に後蓋３の軸受部３ａを電池蓋２の軸受部２ａ，２ｂの間に設置した後、上記軸部材４を図３にて一点鎖線で示す順で、カメラ下方より軸受部の穴部１ｄに挿入する。上記軸部材４は順次軸受部の穴部１ｄ，２ｄ，３ａ，２ｃ，１ｃに挿入される。この状態で、電池蓋２、後蓋３はこれらの軸受部２ａ，２ｂ，３ａ、即ち、蝶番部で回動可能になっている。
【００１４】
ここで、軸部材４が抜け落ちないように軸抜け防止部材５をカメラ本体１の凹部１ｈに挿入するわけであるが、この際、電池蓋２には突起部２ｆが有り、後蓋３には突起部３ｆがあるため、これらが邪魔になりそのままでは軸抜け防止部材５をカメラ本体の凹部１ｈに挿入出来ないため、電池蓋２と後蓋３とを図６に示すようにカメラ本体１に対してやや開状態にして、突起部２ｆと突起部３ｆを軸抜け防止部材５の挿入路より退避させる。
【００１５】
ここで軸抜け防止部材５をカメラ本体１の凹部１ｈに挿入する。図５は軸抜け防止部材５が挿入された後の状態を示している。この状態より電池蓋２と後蓋３とをカメラ本体に対して閉状態になるよう回動させると、突起部２ｆと突起部３ｆはそれぞれ図８に示す軸抜け防止部材５の穴部５ａ，５ｂに係合手段として嵌合挿入され、図２に示す状態のようになる。即ち、電池蓋２と後蓋３とは完全な閉状態となり軸抜け防止部材５も凹部１ｈに完全に収納状態された状態となる。図７は、図２中において蝶番部を中心にカメラを仮想平面ＣＣＣＣで断面とした図である。
【００１６】
次に、このように構成された第１の実施の形態の作用について説明する。
図２に示される状態からフィルムをカメラに装填、若しくはフィルム交換を行うために後蓋３を図４に示すように、軸部材４を回転軸として回動させることが可能となり、後蓋３を開状態にさせても電池蓋２の突起部２ｆが軸抜け防止部材５の穴部５ａに嵌合しているために軸抜け防止部材５は脱落することもなく軸部材４もそのままとなり蝶番としての機能は保持される。
【００１７】
またカメラに対して電池を装填、若しくは交換しようとして電池蓋２を図１のように、軸部材４を回転軸として回動させることが可能になり、電池蓋２を開状態にさせても後蓋３の突起部３ｆが軸抜け防止部材５の穴部５ｂに嵌合しているために軸抜け防止部材５は脱落することもなく軸部材４もそのままとなり蝶番としての機能は保持される。つまり、通常の操作状態では何等の問題もなく蝶番の機能は保持される。
【００１８】
このように構成されたカメラにおいて、何等かの原因で破損等した電池蓋２や後蓋３を新部品としての電池蓋や後蓋に交換、若しくは、日付写込み機能を有さない後蓋を日付写込み機能を有した後蓋に交換、更には、その逆の交換のために、電池蓋２と後蓋３とを図５に示すようにカメラ本体１に対してやや開状態にして突起部２ｆと突起部３ｆを軸抜け防止部材５の穴部５ａ，ｂより退避させる。
【００１９】
その後、図中の矢印Ａ方向に軸抜け防止部材５を引き抜き、次に図６に示すように、軸部材４を工具等により蝶番部より引き抜く。これによって、電池蓋２と後蓋３を任意に容易に交換等が出来る。その後は上述の逆の順序にて組み立てれば良い。
次に、本発明の第２の実施の形態のカメラについて説明する。
【００２０】
図９は本形態のカメラの蝶番部を示す断面図である。図１０は本携帯のカメラの軸抜け防止部材単品の部品投影図である。図１１は、第１の実施の形態の図６と同様であって図５に相当するＢ部分の部分斜視図で、後述する軸抜け防止部材を除去してあり、また後蓋９及び電池蓋２が開状態を示している。後蓋９は、前述第１の実施の形態中における後蓋３の突起部３ｆがないだけのものである。図１２は図１１に示した部分斜視図において、後述する軸抜け防止部材８を取り付けて、後蓋９を閉状態とした図である。
【００２１】
図９において、後蓋９と電池蓋２とをカメラ本体１に軸部材１０を介して組み上げられている。構成はほぼ前述の第１の実施の形態と同様であるが、この図の軸部材１０は第１の実施の形態より若干短く、軸抜け防止部材８に嵌入せず、これに当て付くようになっている。そして、その中ほどの位置には溝部１０ａが設けられている。軸抜け防止部材８には第１の実施の形態とは異なり軸部材１０の嵌入する穴部が無い。
【００２２】
そして、この軸抜け防止部材８は図１０に示す部品図のようにその下部に広がり部分８ｃを有し、斜面８ｂを両側に有する。また電池蓋２の突起部２ｆが嵌入可能なように穴部８ａを有する。
本形態の後蓋９には前述の第１の実施の形態中に示す凸部３ｆが無いため、軸抜け防止部材８と係合はしない。
【００２３】
また図９に示すように後蓋９の蝶番部９ａには、この後蓋９がカメラに対して閉状態の時にはカメラ外観からは見えない切り欠き９ｇを有していて、この切り欠き９ｇからは軸部材１０の一部１０ａが見える。
図１１は本形態のカメラ本体の軸抜け防止部材８を挿入する部分の部分斜視図である。軸抜け防止部材８を挿入するためのカメラ本体の凹部１ｈのその両脇の壁部は斜面１ｑが形成されている。従って、軸部材１０が挿入された状態で軸抜け防止部材８をカメラ本体の凹部１ｈに挿入する時は電池蓋２を開状態にして、カメラ本体の凹部１ｈの挿入部より凸部２ｆを退避させてその挿入を行う。この挿入が完了すると、軸抜け防止部材８の斜面８ｂとカメラ本体の凹部斜面１ｑとが図１２に示すように密着した状態となる。これによって、軸抜け防止部材８がカメラ本体１から容易に脱落することはなくなる。
【００２４】
図１２は、後蓋３を閉状態にしている状態を示す。この後、電池蓋２を閉状態にすれば、電池蓋２の凸部２ｆと軸抜け防止部材８の穴部８ａが係合手段として係合し、軸抜け防止部材８は抜け落ちることもない。
本形態のカメラによれば、前述の第１の実施の形態とほぼ同様の作用を有するが蓋等の外す時には、第１の実施の形態のように後蓋９を開閉する必要がなく、電池蓋２を開状態にしてから軸抜け防止部材８をそのカメラ本体１に対して外し、その後、後蓋９を開状態にして切り欠き部９ｇより工具等を軸部材１０の溝部１０ａに挿入して軸部材１０を図９中の矢印Ｆ方向に移動させ、軸部材１０を蝶番部より外し、その後は上述の逆の順序にて組み立てれば良い。このようにして、任意に、かつ、容易にその作業が行なうことができる。
（付記）
以上、説明した実施態様に基づいて、次の構成を有するカメラを提案することができる。すなわち、
（１）複数の回動する蓋を有するカメラの蝶番装置において、
回動動作をする第１の蓋の蝶番軸受と、
回動動作をする第２の蓋の蝶番軸受と、
カメラ本体に設けた蝶番軸受と、
上記３つの蝶番軸受を貫通する軸部材と、
上記軸部材を上記３つの蝶番軸受に貫通させた後に、上記軸部材の端部を覆い、上記軸部材が抜けることを防ぐ軸抜け防止部材と、
少なくとも上記第１の蓋若しくは上記第２の蓋のどちらか一方と上記軸抜け防止部材との間に設けられた係合手段と、
を有し、上記係合手段が係合した時には上記軸抜け防止部材が上記カメラより脱落することを防ぐことを特徴とするカメラの蝶番装置。
（２）電池を収納するため回動して開閉する電池蓋と撮影用フィルムを出し入れするため回動して開閉する後蓋とを同じ蝶番で回動させるカメラにおいて、
上記カメラに設けられた蝶番軸受と、
上記電池蓋の回動のための蝶番軸受と、
上記後蓋の蝶番軸受と、
上記３つの蝶番軸受を貫通する軸部材と、
上記軸部材を上記３つの蝶番軸受に貫通させた後に上記軸部材の端部を覆い、上記軸部材が抜けることを防ぐ軸抜け防止部材と、
少なくとも上記電池蓋若しくは上記後蓋のどちらか一方と上記軸抜け防止部材との間に設けられた係合手段と、
を有し、上記係合手段が係合した時には上記軸抜け防止部材が上記軸部材より抜けることを防ぐことを特徴とするカメラの蝶番装置。
【００２５】
【発明の効果】
以上、述べたような本発明によれば、カメラの蝶番装置は、それに設けらる蓋等をカメラ本体に取り付けたり、取り外したりすることが容易になる。
【図面の簡単な説明】
【図１】本発明の第１の実施の形態を示すカメラを斜め後方下より見た外観を示す斜視図であり、電池蓋が開状態である。
【図２】図１のカメラの電池蓋及び後蓋が閉状態での外観を示す斜視図。
【図３】図１、図２におけるカメラの分解斜視図である。
【図４】図２のカメラの後蓋が開状態での外観を示す斜視図。
【図５】図２のカメラの後蓋と電池蓋とが開状態での外観を示す斜視図。
【図６】図５におけるＢ部分の部分斜視図であって、軸抜け防止部材を除去してある状態。
【図７】図２における仮想平面ＣＣＣＣによる蝶番部の断面図。
【図８】第１の実施の形態における軸抜け防止部材単品の投影図（三面図）。
【図９】第２の実施の形態のカメラの蝶番部の断面図。
【図１０】第２の実施の形態における軸抜け防止部材単品の投影図（二面図）。
【図１１】第２の実施の形態であり、図６と同様な部分の部分斜視図であって、軸抜け防止部材を除去してある状態を、また後蓋及び電池蓋が開状態を示している。
【図１２】図１１において、軸抜け防止部材を取り付けて、後蓋を閉状態とした状態を示す部分斜視図。
【符号の説明】
１  カメラ本体
２  電池蓋
３，９  後蓋
４，１０  軸部材
５，８  軸抜け防止部材
【図１】
0003698775.tif 000002
【図２】
0003698775.tif 000003
【図３】
0003698775.tif 000004
【図４】
0003698775.tif 000005
【図５】
0003698775.tif 000006
【図６】
0003698775.tif 000007
【図７】
0003698775.tif 000008
【図８】
0003698775.tif 000009
【図９】
0003698775.tif 000010
【図１０】
0003698775.tif 000011
【図１１】
0003698775.tif 000012
【図１２】
0003698775.tif 000013